(57)【要約】【課題】ユーザの身体的特徴などを考慮に入れた精度の高いフィッティング画像を提供することが可能なデジタルフィッティング支援技術を提供する。【解決手段】デジタルマネキン作成部１１０は、ユーザの３Ｄ寸法データに基づき、ユーザの分身となるデジタルマネキンを作成する。デジタルウェア画像作成部１２０は、デジタル化したウェアの型紙データを取得し、取得した型紙データをもとにデジタルウェア画像を作成する。フィッティング画像生成部１３０は、デジタルマネキンがウェアを着た時のフィッティング画像を生成し、ユーザに提供する。【選択図】図３
2019112732.tif 000002
【特許請求の範囲】
【請求項１】
入力されるユーザの身体寸法データに基づき、前記ユーザの人体を模したデジタルマネキンを作成するマネキン作成部と、
フィッティング対象物品のデジタル型紙データを取得する型紙データ取得部と、
前記デジタルマネキンに、前記デジタル型紙データに基づくフィッティング対象物をあわあせたときのフィッティング画像を生成するフィッティング画像生成部と、
前記フィッティング画像を出力する出力部と
を具備するデジタルフィッティング支援装置。
【請求項２】
入力されるユーザの身体寸法データに基づき、前記ユーザの人体を模したデジタルマネキンを作成するマネキン作成部と、
ウェアのデジタル型紙データを取得する型紙データ取得部と、
前記デジタルマネキンに、前記デジタル型紙データに基づくウェアを着用させたときのフィッティング画像を生成するフィッティング画像生成部と、
前記フィッティング画像を出力する出力部と
を具備するデジタルアパレル支援装置。
【請求項３】
前記デジタルマネキンに対する、前記ウェアのサイズ余裕度を求め、求めたサイズ余裕度が、設定された適正範囲内にある場合に、前記ユーザは前記ウェアが似合うと判断する一方、求めたサイズ余裕度が、設定された適正範囲外となる場合には、前記ユーザは前記ウェアが似合わないと判断するイメージ判定部をさらに具備し、
前記出力部は、前記フィッティング画像とともに前記イメージ判定部による判断結果を出力する、請求項２に記載のデジタルアパレル支援装置。
【請求項４】
前記イメージ判定部によって、求めたサイズ余裕度が、設定された適正範囲外であることから、前記ユーザは前記ウェアが似合わないと判断された場合において、
前記ユーザに対して、前記デジタル型紙データの修正を行うか否かの問い合わせを行う問い合わせ部と、
前記問い合わせに応じて、前記ユーザから前記デジタル型紙データの修正指示を入力する入力部と、
入力された前記デジタル型紙データの修正指示に従い、前記デジタル型紙データの修正部と
をさらに具備する、請求項３に記載のデジタルアパレル支援装置。
【請求項５】
前記デジタル型紙データの修正指示を入力する入力部と、
入力された前記デジタル型紙データの修正指示に従い、前記デジタル型紙データの修正を行い、修正後のデジタル型紙データを、オリジナル型紙データとして記憶する記憶部とさらに具備する、請求項２に記載のデジタルアパレル支援装置。
【請求項６】
入力されるユーザの身体寸法データに基づき、前記ユーザの人体を模したデジタルマネキンを作成するマネキン作成部と、
前記ユーザのプロフィールをあらわすプロフィール情報を取得・管理する第１管理部と、
前記ユーザのウェアの購買履歴をあらわす購買履歴情報を取得・管理する第２管理部と、
ウェアの流行をあらわすトレンド情報を取得・管理する第３管理部と、
前記ユーザのプロフィール情報、前記ユーザの購買履歴情報、前記トレンド情報に基づき、前記ユーザにおすすめのウェアをあらわすリコメンドウェア情報を決定する決定部と、
前記ユーザにおすすめのウェアのデジタル型紙データを取得する型紙データ取得部と、
前記デジタルマネキンに、前記デジタル型紙データに基づく前記ユーザにおすすめのウェアを着用させたときのフィッティング画像を生成するフィッティング画像生成部と、
前記フィッティング画像を出力する出力部と
を具備するデジタルアパレル支援装置。
【請求項７】
入力されるユーザの身体寸法データに基づき、前記ユーザの人体を模したデジタルマネキンを作成するマネキン作成ステップと、
ウェアのデジタル型紙データを取得する型紙データ取得ステップと、
前記デジタルマネキンに、前記デジタル型紙データに基づくウェアを着用させたときのフィッティング画像を生成するフィッティング画像生成ステップと、
前記フィッティング画像を出力する出力ステップと
を含むデジタルアパレル支援方法。
【発明の詳細な説明】
【技術分野】
【０００１】
本発明は、デジタルフィッティング支援装置に関し、特に、ウェアを身に着けた状態のユーザのフィッティング画像を提供することが可能なデジタルアパレル支援装置に関する。
【背景技術】
【０００２】
アパレル業界においては、人体を模したデジタルモデル（以下、「人体デジタルモデル」ともいう。）の画像にスーツやシャツ、パンツ、靴などのウェア画像を合成し、バーチャル空間において人体デジタルモデルがウェアを試着したときのフィッティング画像を作成し、これをユーザのコンピュータ上に提示するシステムの開発が進められている（例えば特許文献１参照）。
【先行技術文献】
【特許文献】
【０００３】
【特許文献１】特開２００１−２６２４１６号公報
【発明の概要】
【発明が解決しようとする課題】
【０００４】
上記システムによれば、実際に試着しなくても、様々なウェアの組み合わせ（コーディネート）を試すことができ、お気に入りのコーディネートを新たに発見すること等が可能となる。
【０００５】
しかしながら、コンピュータ上に表示されるウェアのフィッティング画像のイメージと、ユーザが実物のウェアを着用したときのイメージでは、身体的特徴（筋肉質で腕が太い、足が極端に細いなど）などにより、着丈やフィット感などに大きなずれが生じることがある。このような場合、ユーザは、自分に似合わない、あるいはサイズが合わない等の理由により、そのウェアを店舗に返品する、あるいは友人に譲る等して対応せざるを得ない、というのが現状であった。
【０００６】
本発明は、以上説明した事情を鑑みてなされたものであり、ユーザの身体的特徴などを考慮に入れた精度の高いフィッティング画像を提供することが可能なデジタルフィッティング支援技術を提供することを目的とする。
【課題を解決するための手段】
【０００７】
本発明の一態様に係るデジタルアパレル支援装置は、入力されるユーザの身体寸法データに基づき、ユーザの人体を模したデジタルマネキンを作成するマネキン作成部と、ウェアのデジタル型紙データを取得する型紙データ取得部と、デジタルマネキンに、デジタル型紙データに基づくウェアを着用させたときのフィッティング画像を生成するフィッティング画像生成部と、フィッティング画像を出力する出力部とを具備することを要旨とする。
【０００８】
また、本発明の他の態様に係るデジタルアパレル支援装置は、入力されるユーザの身体寸法データに基づき、ユーザの人体を模したデジタルマネキンを作成するマネキン作成部と、ユーザのプロフィールをあらわすプロフィール情報を取得・管理する第１管理部と、ユーザのウェアの購買履歴をあらわす購買履歴情報を取得・管理する第２管理部と、ウェアの流行をあらわすトレンド情報を取得・管理する第３管理部と、ユーザのプロフィール情報、ユーザの購買履歴情報、トレンド情報に基づき、ユーザにおすすめのウェアをあらわすリコメンドウェア情報を決定する決定部と、ユーザにおすすめのウェアのデジタル型紙データを取得する型紙データ取得部と、デジタルマネキンに、デジタル型紙データに基づくユーザにおすすめのウェアを着用させたときのフィッティング画像を生成するフィッティング画像生成部と、フィッティング画像を出力する出力部とを具備することを要旨とする。
【発明の効果】
【０００９】
本発明によれば、ユーザの身体的特徴などを考慮に入れた精度の高いフィッティング画像を提供することが可能なデジタルフィッティング支援技術を提供することができる。
【図面の簡単な説明】
【００１０】
【図１】バーチャルフィッティングシステムの概略構成を示す図である。
【図２】デジタルアパレル支援装置の概略構成を示す図である。
【図３】デジタルアパレル支援装置の機能構成を示すブロック図である。
【図４】デジタル型紙データ及びデジタルウェア画像を例示した図である。
【図５】フィッティング画像を例示した図である。
【図６】フィッティング支援処理を示すフローチャートである。
【図７】デジタルアパレル支援装置の機能構成を示すブロック図である。
【図８】リコメンド処理を示すフローチャートである。
【発明を実施するための形態】
【００１１】
以下、図面を参照して本発明に係る実施形態について説明する。ただし、以下に説明する実施形態は、あくまでも例示であり、以下に明示しない種々の変形や技術の適用を排除するものではない。すなわち、本発明は、その趣旨を逸脱しない範囲で種々変形して実施できる。
【００１２】
Ａ．第１実施形態
[バーチャルフィッティングシステムの概要]
本実施形態に係るバーチャルフィッティングシステムは、ユーザの３Ｄ寸法データに基づき、ユーザの分身となる人体デジタルモデル（以下、「デジタルマネキン」ともいう。）を作成する一方、ウェアについてはデジタル化したウェアの型紙データをもとにデジタルウェア画像を作成し、デジタルマネキンがウェアを着た時のフィッティング画像を生成してユーザに提供することを可能とする。また、以下の説明では、男性ユーザを例に説明するが、老若男女を問わず、全世代のユーザ、さらにはペット（犬や猫などの動物）にも適用可能である。
【００１３】
（１）構成
図１は、バーチャルフィッティングシステム１０００の概略構成を示す図である。
バーチャルフィッティングシステム１０００は、デジタルマネキンや、デジタル型紙画像、フィッティング画像を作成するデジタルアパレル支援装置１００と、各ユーザが所持等する端末５００とを備えて構成される。端末５００は、携帯電話やスマートフォン、ノート型パソコンやウェアラブル端末、携帯情報端末、タブレット端末などを利用することができる。デジタルアパレル支援装置１００と各端末５００は、それぞれ通信ネットワークＮを介して相互通信可能となっている。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００１４】
図２は、デジタルアパレル支援装置１００の概略構成を示す図である。
デジタルアパレル支援装置１００は、パーソナルコンピュータ等の情報処理装置によって構成されている。デジタルアパレル支援装置１００は、ＣＰＵ１１によって実行される様々な制御プログラムを記憶するＲＯＭやＲＡＭなどのメモリ１２、キーボードやマウス、操作ボタンなどを備えた入力装置１３、液晶パネルなどを備えた出力装置１４、ハードディスク等の記憶装置１５、各通信インタフェースを備えた通信装置１６などを備えている。
【００１５】
図３は、デジタルアパレル支援装置１００の機能構成を示すブロック図である。
デジタルアパレル支援装置１００は、ＣＰＵ１１がメモリ１２などに記憶されたソフトウェアを読み込み、解釈／実行することにより、図３に示す各部の機能を提供する。
【００１６】
[デジタルマネキン作成部１１０]
デジタルマネキン作成部（マネキン作成部）１１０は、外部から入力されるユーザの３Ｄ寸法データ（身体寸法データ）に基づき、ユーザの人体を模したデジタルマネキンを作成する。ユーザの３Ｄ寸法データは、例えば３次元計測装置によって取得してもよいが、例えば、スマートフォンなどにインストールされたユーザの３Ｄ寸法を測定するアプリケーションなどを利用して取得するようにしてもよい。もっとも、自分の体型をアプリケーションなどで測定したくないユーザもいると考えられる。このようなユーザのために、体型別（やせ型、中肉中背など）に複数のテンプレートを用意しておき、各ユーザが体型別のデジタルマネキンを選択できるようにしてもよい。
【００１７】
[デジタルウェア画像作成部１２０]
デジタルウェア画像作成部（型紙データ取得部）１２０は、外部サーバなどから既成ウェアのデジタル型紙データや、デジタル型紙データベースに格納されているユーザオリジナルのデジタル型紙データを取得する。そして、デジタルウェア画像作成部１２０は、取得したデジタル型紙データに基づき、デジタルウェア画像を生成する。ユーザオリジナルのデジタル型紙データの利用方法としては、例えば既成ウェアのデジタル型紙データと比較することで、デジタルマネキンを利用せずとも、当該ユーザに似合うか否かを判断することができる。なお、ユーザに似合うか否かの判断は、イメージ判定部１４０で実行すればよい。また、いったんユーザオリジナルのデジタル型紙データを作成することができれば、別のウェアを購入等する際にも、そのデジタル型紙データを利用することができる。例えば１着目のスーツ購入時に作成したユーザオリジナルのデジタル型紙データを、別タイプのスーツを購入する際に適用すれば、ユーザは、自身の身体的特徴にあった別タイプのスーツを得ることができる。
【００１８】
図４は、デジタル型紙データ及びデジタルウェア画像を例示した図である。具体的には、図４のＡは、既成ウェアのデジタル型紙データ（男性用のハーフパンツ）を例示した図であり、図４Ｂは、デジタルウェア画像作成部１２０によって作成されるデジタルウェア画像（男性用のハーフパンツ）を例示した図である。なお、本実施形態における「ウェア」とは、スーツやシャツ、パンツなどの衣類に限る趣旨ではなく、靴や帽子、アクセサリー類といったユーザが身に着ける全ての物品を対象とする点に留意されたい。
【００１９】
[フィッティング画像生成部１３０]
フィッティング画像生成部１３０は、ユーザの分身であるデジタルマネキンに、デジタル型紙データに基づくウェアを着用させた時のフィッティング画像を生成する。フィッティング画像生成部（出力部）１３０は、生成したフィッティング画像を、通信装置１６を介してユーザの端末５００に配信する。
【００２０】
ここで、図５は、体型の異なる２人のユーザのそれぞれのデジタルマネキンに、同じウェアを着用させたときのフィッティング画像を例示した図であり、図５のＡは、筋肉質の男性のフィッティング画像、図５のＢは、やせ型の男性のフィッティング画像を例示した図である。図５のＡ及びＢを比較して明らかなように、筋肉質の男性（デジタルマネキン）とやせ型の男性（デジタルマネキン）とでは、同じウェアを着用しても、着装イメージ（見た目など）は大きく異なる。このように、各ユーザは、自分の分身であるデジタルマネキンに、デジタル型紙データに基づくウェアを着用させることで、実際に試着せずとも、ウェアを着用したときの着装イメージなどを正確に把握することができる。
【００２１】
[イメージ判定部１４０]
イメージ判定部１４０は、デジタル型紙データに基づく実際のウェアを、ユーザが着用したときに、似合うか否かを客観的に判断する。具体的には、イメージ判定部１４０は、フィッティング画像をもとに、ユーザの分身であるデジタルマネキンに対する、お気に入りのウェアのサイズ余裕度（例えば、肩幅やウェストのサイズ余裕度）などを求める。イメージ判定部１４０は、求めたサイズ余裕度が、設定された適正範囲内である場合、ユーザはこのウェアが似合うと判断し、判断結果（着装イメージ；「良」など）をユーザの端末５００に通知する。
一方、イメージ判定部１４０は、求めたサイズ余裕度が、設定された適正範囲外である場合、ユーザはこのウェアが似合わないと判断し、判断結果（着装イメージ；「不可」など）をユーザの端末５００に通知する。なお、適正範囲は、部位（肩や腕など）ごとに予め設定すればよく、ユーザが適正範囲を変更できるようにしてもよい。また、似合うか否かの判断基準は、サイズ余裕度のほか、ユーザの好みの色や柄、ユーザのウェアの購買履歴などを考慮に入れてもよい。
【００２２】
[デジタル型紙データ編集部１５０]
デジタル型紙データ編集部１５０は、ユーザの入力操作に応じてデジタル型紙データを調整する。もっとも、ユーザの入力操作によらず、サイズ余裕度などを考慮し、ユーザに最も適した寸法となるように、デジタル型紙データ編集部１５０がデジタル型紙データの寸法を自動修正してもよい。
【００２３】
例えば、デジタルマネキンの特定部位（例えば、「腕」など）において、ウェアが小さすぎる場合には、デジタル型紙データ編集部１５０は、特定部位のウェアの寸法を大きくするようにデジタル型紙データを修正する。デジタル型紙データ編集部１５０は、編集後のデジタル型紙データを、ユーザオリジナルのデジタル型紙データ（以下、「オリジナル型紙データ」と略称する。）として、デジタル型紙データベースに格納する。
【００２４】
[データベース部１６０]
データベース部１６０は、３Ｄ寸法データベース（ＤＢ）、デジタルマネキンデータベース（ＤＢ）、デジタル型紙データベース（ＤＢ）、デジタルウェア画像データベース（ＤＢ），フィッティング画像データベース（ＤＢ）を備えている。
【００２５】
３Ｄ寸法ＤＢには、各ユーザを識別するユーザ識別ＩＤと、外部（３次元計測装置やスマートフォンなど）から入力されるユーザの３Ｄ寸法データとが対応づけて登録される。
デジタルマネキンＤＢには、ユーザ識別ＩＤと、デジタルマネキン作成部１１０によって作成される各ユーザの分身であるデジタルマネキンとが対応づけて登録される。
デジタル型紙ＤＢには、ユーザ識別ＩＤと、外部サーバなどから取得される既成ウェアのデジタル型紙データ及びオリジナル型紙データとが対応づけて登録される。
デジタルウェア画像ＤＢには、ユーザ識別ＩＤと、デジタルウェア画像作成部１２０によって作成されるデジタルウェア画像とが対応づけて登録される。
フィッティング画像ＤＢには、ユーザ識別ＩＤと、フィッティング画像生成部１３０によって生成されるフィッティング画像とが対応づけて登録される。
【００２６】
（２）動作
以下、デジタルアパレル支援装置１００によって実行されるフィッティング支援処理について、図６を参照しながら説明する。なお、デジタルアパレル支援装置１００には、初期設定として各ユーザのユーザ識別ＩＤが登録されているものとする。
【００２７】
図６は、フィッティング支援処理を示すフローチャートである。
デジタルマネキン作成部１１０は、ユーザの端末５００や３次元計測装置（図示略）などから、ユーザの３Ｄ寸法データを受信すると、受信した３Ｄ寸法データに基づき、ユーザの分身であるデジタルマネキンを作成する（ステップＳ１００）。デジタルマネキン作成部１１０は、作成したデジタルマネキンをデジタルマネキンDBに格納するとともに、フィッティング画像生成部１３０に出力する。
【００２８】
その後、ユーザは、Ｗｅｂ閲覧などしてお気に入りのウェアを見つけると、当該ウェアのデジタル型紙データの取得指示を、端末５００経由でデジタルアパレル支援装置１００に送る。デジタルウェア画像作成部１２０は、デジタル型紙データの取得指示に従って様々なＷｅｂサイトを探索することにより、お気に入りのウェアのデジタル型紙データの所在情報（例えば、ＵＲＬなど；以下、「ＵＲＬ情報」ともいう。）を取得する。デジタルウェア画像作成部１２０は、取得したＵＲＬ情報に基づき、お気に入りのウェアのデジタル型紙データが格納されているサーバ（以下、「型紙サーバ」ともいう。）にアクセスし、お気に入りのウェアのデジタル型紙データをダウンロードする。そして、デジタルウェア画像作成部１２０は、デジタル型紙データに基づき、デジタルウェア画像を作成し（ステップＳ２００）、作成したデジタルウェア画像をデジタルウェア画像ＤＢに格納するとともに、フィッティング画像生成部１３０に出力する。
【００２９】
フィッティング画像生成部１３０は、デジタルマネキン作成部１１０から供給されるデジタルマネキンと、デジタルウェア画像作成部１２０から供給されるデジタルウェア画像とに基づき、ユーザの分身であるデジタルマネキンが、お気に入りのウェアを着た時のフィッティング画像を生成し（ステップＳ３００）、ユーザの端末５００などに送信するとともに、イメージ判定部１４０に送る。
【００３０】
イメージ判定部１４０は、フィッティング画像をもとに、ユーザの分身であるデジタルマネキンに対する、お気に入りのウェアのサイズ余裕度（例えば、肩幅やウェストのサイズ余裕度）などを求め、ウェアが似合っているか否かの判断を行う（ステップＳ４００）。イメージ判定部１４０は、求めたサイズ余裕度が、設定された適正範囲内である場合、ユーザはこのウェアが似合うと判断し（ステップＳ４００；ＹＥＳ）、判断結果（着装イメージ；「良」など）をユーザの端末５００に通知する（ステップＳ５００）。イメージ判定部１４０は、ユーザの端末５００に対して、今回利用したデジタル型紙データを保存するか否かの問い合わせを行う（ステップＳ６００）。イメージ判定部１４０は、今回利用したデジタル型紙データを保存する旨の指示を受け取ると（ステップＳ６００；ＹＥＳ）、当該指示に従い、今回利用したデジタル型紙データを、デジタル型紙ＤＢに格納し（ステップＳ７００）、処理を終了する。一方、イメージ判定部１４０は、今回利用したデジタル型紙データを保存しない旨の指示を受け取った場合には（ステップＳ６００；ＮＯ）、当該指示に従い、今回利用したデジタル型紙データを保存することなく、処理を終了する。
【００３１】
一方、イメージ判定部１４０は、求めたサイズ余裕度が、設定された適正範囲外である場合、ユーザはこのウェアが似合わないと判断し（ステップＳ４００；ＮＯ）、判断結果（着装イメージ；「不可」など）をユーザの端末５００に通知する（ステップＳ８００）。
【００３２】
デジタル型紙データ編集部（問い合わせ部）１５０は、ユーザの端末５００に対して、今回利用したデジタル型紙データを修正するか否かの問い合わせを行う（ステップＳ９００）。デジタル型紙データ編集部１５０は、今回利用したデジタル型紙データを修正しない旨の指示を受けた場合には（ステップＳ９００；ＮＯ）、当該指示に従い、今回利用したデジタル型紙データを修正・保存することなく、処理を終了する。
【００３３】
一方、デジタル型紙データ編集部（入力部、修正部）１５０は、今回利用したデジタル型紙データを修正する旨の指示を受け取ると（ステップＳ９００；ＹＥＳ）、ユーザの分身であるデジタルマネキンにウェアがフィットするように（例えば、サイズ余裕度が、設定された適正範囲内に収まるように）、デジタル型紙データの修正を行い（ステップＳ１０００）、オリジナル型紙データとしてデジタル型紙ＤＢに保存し、処理を終了する。なお、ユーザは、オリジナル型紙データに基づくデジタルウェア画像を、端末５００のディスプレイ等を介して確認することができる。
【００３４】
以上説明したように、本実施形態によれば、お気に入りのウェアを見つけた場合に、そのウェアのデジタル型紙データをダウンロードする。そして、ユーザの分身であるデジタルマネキンに、デジタル型紙データに基づくウェアを着用させ、フィッティング画像を生成し、ユーザに確認させることができる。よって、各ユーザは、実際に試着せずとも、ウェアを着用したときの着装イメージなどを正確に把握することができる。
【００３５】
なお、上述した実施形態では、デジタルマネキンの顔の表情や髪型、肌の色などについて特に言及しなかったが、例えば各ユーザがオリジナルの顔の表情や髪型、肌の色などを特定したアバター画像を作成し、デジタルマネキンにアバター画像を適用してもよい。かかる構成によれば、ウェアの着装イメージをより正確に把握等することができる。
【００３６】
Ｂ．第２実施形態
（１）構成
図７は、第２実施形態に係るデジタルアパレル支援装置１００ａの機能構成を示すブロック図である。
デジタルアパレル支援装置１００ａは、図３に示すデジタルアパレル支援装置１００に対し、アンケート管理部１７０、購買履歴管理部１８０、トレンド情報管理部１９０、リコメンドウェア情報管理部２００を設けたものである。また、データベース部１６０には、３Ｄ寸法ＤＢ、デジタルマネキンＤＢ、デジタル型紙ＤＢ、デジタルウェア画像ＤＢ、フィッティング画像ＤＢのほか、アンケート情報データベース（ＤＢ）、購買履歴情報データベース（ＤＢ）、トレンド情報データベース（ＤＢ）、リコメンドウェア情報データベース（ＤＢ）が格納されている。なお、その他の構成については、図３に示すデジタルアパレル支援装置１００と同様であるため、対応する部分には同一符号を付し、詳細な説明は割愛する。
【００３７】
アンケート管理部１７０は、各ユーザによって入力される、ユーザのプロフィールに関わるアンケート情報（プロフィール情報）を収集・管理する。アンケート内容としては、例えば年齢、性別、性格、趣味、好みの食事などに関わるものが挙げられるが、これらに限定する趣旨ではない。アンケート管理部１７０は、例えば初期設定の際に、アンケートを実施し、ユーザによって入力されるアンケートの回答（すなわちアンケート情報）を収集する。アンケート管理部（第１管理部）１７０は、収集したアンケート情報を、ユーザ識別ＩＤと対応づけてアンケート情報ＤＢに格納する。
【００３８】
購買履歴管理部（第２管理部）１８０は、各ユーザのウェアの購買履歴に関する情報（すなわち購買履歴情報）を収集・管理する。購買履歴情報は、アンケートに答える形で各ユーザがデジタルアパレル支援装置１００ａに直接入力してもよいが、例えば提携しているアパレル店舗から各ユーザの購買履歴情報を取得するようにしてもよい。購買履歴管理部１８０は、取得した購買履歴情報を、ユーザ識別ＩＤと対応づけて購買履歴情報ＤＢに格納する。
【００３９】
トレンド情報管理部（第３管理部）１９０は、著名なウェアブランドのＷｅｂサイトなどをクローリングすることで、ウェアの流行をあらわすトレンド情報を収集・管理する。トレンド情報管理部１９０は、収集したトレンド情報を、ユーザ識別ＩＤと対応づけてトレンド情報ＤＢに格納する。
【００４０】
リコメンドウェア情報管理部（決定部）２００は、ユーザのアンケート情報、購買履歴情報、トレンド情報を考慮したうえで、そのユーザにおすすめのウェア情報（すなわちリコメンドウェア情報）を決定する。リコメンドウェア情報は、例えば提携しているアパレル店舗のＷｅｂサイトのウェア情報から選択することができる。リコメンドウェア情報管理部２００は、リコメンドウェア情報を決定すると、ユーザ識別ＩＤと対応づけてリコメンドウェア情報ＤＢに格納する。
【００４１】
（２）動作
以下、デジタルアパレル支援装置１００ａによって実行されるリコメンド処理について、図８を参照しながら説明する。なお、デジタルアパレル支援装置１００には、初期設定として各ユーザのユーザ識別ＩＤが登録されているものとする。
【００４２】
図８は、リコメンド処理を示すフローチャートである。
デジタルマネキン作成部１１０は、ユーザの端末５００や３次元計測装置（図示略）などから、ユーザの３Ｄ寸法データを受信すると、受信した３Ｄ寸法データに基づき、ユーザの分身であるデジタルマネキンを作成する（ステップＳ１００ａ）。デジタルマネキン作成部１１０は、作成したデジタルマネキンをデジタルマネキンDBに格納するとともに、フィッティング画像生成部１３０に出力する。
【００４３】
その後、アンケート管理部１７０は、ユーザ識別ＩＤを利用して、当該ユーザによって入力されたアンケート情報を、アンケート情報ＤＢから抽出する（ステップＳ２００ａ）。さらに、購買履歴管理部１８０は、ユーザ識別ＩＤを利用して、当該ユーザの購買履歴情報を、購買履歴情報ＤＢから抽出する一方（ステップＳ３００ａ）、トレンド情報管理部１９０は、ユーザ識別ＩＤを利用して、ウェアの流行をあらわすトレンド情報を、トレンド情報ＤＢから取得する（ステップＳ４００ａ）。
【００４４】
リコメンドウェア情報管理部２００は、抽出されたユーザのアンケート情報、購買履歴情報、トレンド情報を考慮したうえで、そのユーザのリコメンドウェア情報を決定する（ステップＳ５００ａ）。リコメンドウェア情報管理部２００は、決定したリコメンドウェア情報に示されるウェア（リコメンドウェア）のデジタル型紙データの取得指示を、デジタルウェア画像作成部１２０に送る。
【００４５】
なお、リコメンドウェア情報は、前提として提携等しているアパレル店舗のＷｅｂサイトのウェア情報から、複数のウェア情報を取得しているものとする。また、リコメンドウェア情報は、１つに限らず、複数であっても良いのはもちろんである。複数のリコメンドウェア情報を選択する場合には、優先順位を決定し、優先度の高いリコメンドウェア情報から順番に選択するようにしてもよい。
【００４６】
デジタルウェア画像作成部１２０は、デジタル型紙データの取得指示に従って様々なＷｅｂサイトを探索することにより、リコメンドウェアのデジタル型紙データのＵＲＬ情報を取得する。デジタルウェア画像作成部１２０は、取得したＵＲＬ情報に基づき、ユーザにおすすめのウェアのデジタル型紙データが格納されている型紙サーバにアクセスし、ユーザにおすすめのウェアのデジタル型紙データをダウンロードする。そして、デジタルウェア画像作成部１２０は、デジタル型紙データに基づき、デジタルウェア画像を作成し（ステップＳ６００ａ）、作成したデジタルウェア画像をデジタルウェア画像ＤＢに格納するとともに、フィッティング画像生成部１３０に出力する。なお、デジタルウェア画像作成部１２０は、リコメンドウェアのデジタル型紙データを発見及び取得できない場合には、オリジナル型紙データに基づいてリコメンドウェアのデジタルウェア画像を作成してもよい。
【００４７】
フィッティング画像生成部１３０は、デジタルマネキン作成部１１０から供給されるデジタルマネキンと、デジタルウェア画像作成部１２０から供給されるデジタルウェア画像とに基づき、ユーザの分身であるデジタルマネキンが、ユーザおすすめのウェアを着た時のフィッティング画像を生成し（ステップ７００ａ）、ユーザの端末５００などに送信し、処理を終了する。
【００４８】
ユーザは、端末５００を適宜操作することで、自分の特性（ライフスタイルや購買履歴やトレンドなど）を反映したリコメンドウェアを知ることができるとともに、リコメンドウェアの着装イメージを正確に把握することが可能となる。
【００４９】
Ｃ．変形例
デジタル型紙ＤＢに格納されたデジタル型紙データは、オーダーメイドテーラーなどに送り、オリジナルのウェアを作成してもらってもよい。もちろん、デジタル型紙データを利用して自らオリジナルのウェアを作成することも可能である。
また、各実施形態に係るデジタルアパレル支援装置１００、１００ａを利用すれば、お互いのウェアのサイズを知らない友人間でウェアをプレゼントすることができる。本発明は、新品のウェアに限る趣旨ではなく、中古品のウェアにも適用可能である。例えば、中古品ウェアの売買を行うサイトを利用して、お互いのウェアのサイズを知らない友人間でウェアをプレゼントすることもできる。
なお、デジタル型紙データが提供されていないウェアであって、ユーザからのリクエストが多いウェアについては、例えば提携する裁縫会社で当該ウェアをばらしてデジタル型紙データを生成し、各ユーザに提供するようにしてもよい。
また、各実施形態では、例えば段落番号００１８に記載したように、ユーザが身に着け得る全ての物品（すなわち、「ウェア」）を、フィッティング対象としたが、これに限る趣旨ではない。ユーザの体のサイズが、使用時のフィット感に影響を与える全ての物品（以下では、「フィッティング対象物品」ともいう。）をフィッティング対象としてもよい。具体的には、上述した「ウェア」のほか、椅子やテーブル、ソファーなどの「家具・日用品」、さらには剣道の防具、グローブ等のスポーツ用品、テント・寝袋、自転車やバイク（これらの部品を含む）などの「スポーツ・アウトドア用品」などにも適用可能である。なお、フィッティング対象物品を「ウェア」だけでなく、「家具・日用品」や「スポーツ・アウトドア用品」にまで広げた場合には、デジタルウェア画像作成部（型紙データ取得部）１２０の代わりに、デジタル物品画像作成部（型紙データ取得部）１２０を設け、フィッティング対象物品の型紙データを取得するように構成すればよい。
【００５０】
Ｄ．その他
本明細書において、「部」とは、単に物理的構成を意味するものではなく、その「部」が実行する処理をソフトウェアによって実現する場合も含む。また、１つの「部」や装置が実行する処理を２つ以上の物理的構成や装置により実現されても、２つ以上の「部」や装置が実行する処理を１つの物理的手段や装置により実現されてもよい。
【００５１】
本明細書において上述した各処理におけるステップは、処理内容に矛盾を生じない範囲で任意に順番を変更し、または並列に実行することができる。
【００５２】
本明細書において説明した各処理を実施するプログラムは、記録媒体に記憶させてもよい。この記録媒体を用いれば、デジタルアパレル支援装置１００、１００ａに、上記プログラムをインストールすることができる。ここで、上記プログラムを記憶した記録媒体は、非一過性の記録媒体であっても良い。非一過性の記録媒体は特に限定されないが、例えば、ＣＤ−ＲＯＭ等の記録媒体であっても良い。
【符号の説明】
【００５３】
１０００…バーチャルフィッティングシステム、１００…デジタルアパレル支援装置、１１０…デジタルマネキン作成部、１２０…デジタルウェア画像作成部、１３０…フィッティング画像生成部、１４０…イメージ判定部、１５０…デジタル型紙データ編集部、１６０…データベース部、１７０…アンケート管理部、１８０…購買履歴管理部、１９０…トレンド情報管理部、２００…リコメンドウェア情報管理部、５００…端末。
【図１】
2019112732.tif 000003
【図２】
2019112732.tif 000004
【図３】
2019112732.tif 000005
【図４】
2019112732.tif 000006
【図５】
2019112732.tif 000007
【図６】
2019112732.tif 000008
【図７】
2019112732.tif 000009
【図８】
2019112732.tif 000010